(57)【要約】【課題】地中への打ち込みが容易に行え、しかも、打ち込み深さを一定にすることができる電気柵の支柱を提供すること。【解決手段】電気柵の支柱１において、長棒状の支柱本体２に、この支柱本体２から側方に突出する平板状の足踏部３を設けた。また、足踏部３の底面と支柱本体２との間に、補強用及び立設後の回転制止用のリブ４を設け、足踏部３の上方の所定高さ位置には、電気柵の裸電線を係止するための電線係止具の取付位置を規定するマーク７，８を設けた。この支柱１は、作業者が足踏部３を踏んで体重を掛けることにより、地面に差し込まれ立設される。立設後、マーク７，８の位置に電線係止具が取り付けられ、この電線係止具に裸電線が係止されて張設される。【選択図】図２
2005192501.tif 000002
【特許請求の範囲】
【請求項１】
電気柵の支柱において、長棒状の支柱本体に、この支柱本体から側方に突出する足踏部を設けたことを特徴とする電気柵の支柱。
【請求項２】
足踏部が平板状に形成されている請求項１に記載の電気柵の支柱。
【請求項３】
足踏部の底面と支柱本体との間にリブが設けられている請求項１又は２に記載の電気柵の支柱。
【請求項４】
支柱本体には、足踏部の上方の所定高さ位置に、電気柵の裸電線を係止するための電線係止具の取付位置を規定するマークが設けられている請求項１〜３の何れかに記載の電気柵の支柱。
【請求項５】
支柱本体には、足踏部の上方の所定高さ位置に、電気柵の裸電線を係止するための電線係止具が予め取り付けられている請求項１〜４の何れかに記載の電気柵の支柱。
【発明の詳細な説明】
【技術分野】
【０００１】
本発明は、牛等の畜産動物が牧場以外へ脱出するのを防止するため、あるいは田畑に猪、鹿等の害獣が侵入するのを防止するために、牧場あるいは田畑の周囲に設置される電気柵の支柱に関するものである。
【０００２】
なお、この電気柵の支柱に関しては、牧場で使用される電気柵の支柱も、害獣侵入防止用に使用される電気柵の支柱も全く同じ形状のものが使用されるので、以下、害獣侵入防止用に使用される電気柵の支柱に関して説明する。
【背景技術】
【０００３】
従来、例えば中山間地域の農村地帯では、田畑を荒らす猪、鹿等の害獣を電気ショックで撃退するために、田畑の周囲に裸電線を張り巡らしこの裸電線に衝撃電圧を印加するようにした電気柵が多く使用されている。
【０００４】
この電気柵は図４に示すように、田畑の周囲に立設された支柱２０に取り付けられた碍子１０ａ、碍子１０ｂに裸電線３０ａ、裸電線３０ｂを係止して、裸電線３０ａ、裸電線３０ｂを田畑の周囲に張設し、その裸電線３０ａ、裸電線３０ｂを約５０ｍごとに裸電線からなる上下結線４０で結線したものである。地表より１段目の裸電線３０ｂは地表より約２０ｃｍ程度、２段目の裸電線３０ａは裸電線３０ｂの上方約２０ｃｍ程度の比較的低い位置に張設されている。そして、この張設された裸電線３０ａ、裸電線３０ｂに衝撃電圧発生装置５０より発生された衝撃電圧が印加されている。
【０００５】
田畑に侵入しようとして、この張設された裸電線３０ａもしくは裸電線３０ｂに接触した猪等の害獣には図４中の矢印のように衝撃電圧発生装置５０の出力端子６０、出力線７０、裸電線３０ａ、上下結線４０、裸電線３０ｂ、猪８０、地中９０、アース棒１００、アース線１１０、アース端子１２０の順路で衝撃電流が流れ、猪８０は電気ショックにより電撃を受け、田畑へ侵入する意欲を失い、侵入をあきらめる。
【０００６】
前記のような電気柵の設置にあたっては、田畑の周囲に一定間隔で支柱を地中に立設する必要がある。前述の猪侵入防止用電気柵の支柱は、通常、直径約２０ｍｍ程度、長さ約１ｍ程度のものが使用される。そして、従来は、作業者が支柱の頂部をハンマーで叩くことによって立設していた。しかし、例えば鹿侵入防止用電気柵に使用される支柱は、直径は猪侵入防止用のものとほぼ同じであるが、長さは２ｍ程度のものが使用される。この場合、作業者は脚立に乗って重いハンマーで支柱の頂部を叩かねばならず、危険を伴い、また作業効率も悪いという問題があった。
【０００７】
また、電気柵では、害獣が裸電線に確実に接触するようにするため、裸電線の地面からの高さを一定にすることが必要である。このため、従来、特許文献１の図１及び図２に開示されているように、裸電線を係止するための碍子の取付位置を規定するマークを設けた支柱を用いることもあった。
【０００８】
しかし、支柱を立設する地面の固さは場所によって様々であるので、特許文献１の支柱では、その打ち込み深さを一定にすることが難しく、碍子等の取付位置を規定するマークの地表からの高さが図５のｈ１、ｈ２のように揃わず、結果として裸電線の地表高さが一定にならないという問題があった。したがって、現実としては、支柱１本１本にスケール等を当て碍子の取付位置を規定しなくてはならないという面倒な作業が必要であった。
【０００９】
そして、図４のように圃場を囲む形で裸電線を張設するのではなく、図６のように直線状に張設する場合においては、その両端の支柱２０−１及び支柱２０−５は、図７（ａ）のように裸電線３０ａ（３０ｂ）に張力（図７（ａ）の矢印方向）がかかると、両端の支柱２０−１、２０−５は、図７（ｂ）の矢印方向へ回転してしまい、図８に示すように両端の１間隔分（支柱２０−１と支柱２０−２の間及び支柱２０−５と支柱２０−４の間）の裸電線３０ａ、３０ｂが弛んでしまうという問題もあった。
【００１０】
すなわち、従来の電気柵の支柱には、（１）地中への打ち込みが容易でない、（２）地中への打ち込み深さが一定にならない、（３）支柱が立設後に回転する、という問題があった。
【特許文献１】特開２００２−２７２３５５号公報
【発明の開示】
【発明が解決しようとする課題】
【００１１】
したがって、本発明が解決しようとする第１の課題は、地中への打ち込みが容易に行え、しかも、打ち込み深さを一定にすることができる電気柵の支柱を提供することにある。
【００１２】
本発明が解決しようとする第２の課題は、立設後の回転を防止できる電気柵の支柱を提供することにある。
【課題を解決するための手段】
【００１３】
本発明は、電気柵の支柱において、長棒状の支柱本体に、この支柱本体から側方に突出する足踏部を設けたことを特徴とするものである。
【００１４】
足踏部は平板状に形成することができ、また、足踏部の底面と支柱本体との間に、補強用及び立設後の回転制止用のリブを設けることができる。さらに、足踏部の上方の所定高さ位置には、裸電線を係止するための碍子等の電線係止具の取付位置を規定するマークを設けることができる。また、支柱本体には、足踏部の上方の所定高さ位置に、電気柵の裸電線を係止するための碍子等の電線係止具を予め取り付けることもできる。
【発明の効果】
【００１５】
本発明によれば、作業者が足踏部を踏み込むことで、支柱を地中に差し込むことができるので、作業者の背丈より長い支柱であっても容易に立設することができる。
【００１６】
また、足踏部は支柱本体から側方に突出するように設けられているので、支柱は足踏部を超えて地中に打ち込まれることはなく、足踏部を常に地表面の位置に固定することができる。したがって、足踏部の上方に設けたマーク部分に碍子等の電線係止具を取り付け、これに裸電線を係止することにより、裸電線の地表面からの高さを一定にすることができる。また、足踏部の上方のマークを設けた位置に電線係止具を予め取り付けておくことにより、支柱を立設したらすぐに裸電線を張設することができるので作業効率が向上し、また、初心者であっても裸電線を張設する高さ位置を間違えることなく、裸電線を所定の高さ位置に確実に張設することができる。
【００１７】
さらに、足踏部の底面と支柱本体との間にリブを設けることにより、足踏部が補強され足踏部を踏み込んだときに破損することが防止される。また、このリブは地中では支柱の回転を制止する作用を発揮し、これによって、立設後に支柱が回転することが防止される。
【発明を実施するための最良の形態】
【００１８】
以下、図面に示す実施例に基づき本発明の実施の形態を説明する。
【００１９】
図１は、本発明に係る電気柵の支柱を示し、（ａ）は平面図、（ｂ）は底面図、（ｃ）は正面図、（ｄ）は左側面図である。図１に示すように、電気柵の支柱１は、合成樹脂製の支柱本体２の下部に合成樹脂製の足踏部３を側方に突出させて設けたものである。支柱本体２は、直径約１４ｍｍ、長さ１ｍ程度のものである。また、足踏部３の底面と支柱本体２との間には２枚のリブ４が対称に設けられている。足踏部３とリブ４は一体成形されて支柱本体２に固着されている。また、支柱本体２の下端には合成樹脂製の先尖り状の先端キャップ５が挿入接着され、支柱本体２の上端には合成樹脂製の平キャップ６が装着されている。さらに、支柱本体２には、碍子等の電線係止具の取付位置を規定するマーク７，８が設けられている。
【００２０】
本実施例では支柱本体２の全長が約１ｍであるから、支柱本体２の地面側の先端５５と足踏部３との間隔を約２５ｃｍ、足踏部３とマーク７との間隔を約２０ｃｍ、マーク７とマーク８との間隔を約２０ｃｍとしている。また、合成樹脂としては耐候性を強めるために一般的に黒色系を使用する。
【００２１】
以下、本発明の電気柵の支柱１を使用した害獣侵入防止用の電気柵の設置手順について説明する。
【００２２】
はじめに、田畑の周囲に電気柵を設置するコースを決定し、この決定されたコース上に草類が生えていたら、そのコース上の草類を１ｍ程度の幅のラインで刈り払う。
【００２３】
電気柵を設置するコース上の草類を刈り払い終えたら  本発明の電気柵の支柱１を電気柵を設置するコースに沿って約３〜４ｍの間隔をあけて立設する。すなわち、支柱１を立設する地面に支柱１の先端キャップ５の先端５５を当て、支柱１を地面に対して垂直にし、支柱本体２の上部を手で握り、足踏部３に左右どちらかの足を載せて体重を掛け、足踏部３の底面が地表面に当たるまで踏み込んで行く。このとき、足踏部３の底面と支柱本体２との間にはリブ４が設けられているので、作業者が足踏部３に体重を掛けたとしても破損することはない。
【００２４】
以上の手順によって、図２に示すように、支柱１は、その先端キャップ５の先端５５から足踏部３の底面までが地中に埋設される。立設される全ての支柱１が足踏部３まで埋設され、そして、足踏部３以上に埋設されることがないので、全ての支柱１の地表面からの高さが一定となる。したがって、支柱１に設けたマーク７，８の地表面からの高さは一定となる。
【００２５】
次に、支柱１のマーク７，８の位置に碍子等の電線係止具を取り付け、この電線係止具に裸電線を係止し張設する。その後は、従来の電気柵の設置手順と同様の要領で施工し電気柵を完成させる。
【００２６】
以上のように、本発明の電気柵の支柱１では、作業者が足踏部３を踏み込むだけで支柱１を地中に打ち込むことができるので、従来のように脚立に乗って重いハンマー等で支柱を打ち込む作業が不要となり、安全で容易かつ迅速に支柱１を立設することができる。
【００２７】
また、本発明の電気柵の支柱１を立設すると、必ず足踏部まで打ち込まれ、かつ、足踏部以上に打ち込まれることはないので、足踏部３の上方に設けたマーク７，８の地表面からの高さが一定になる。したがって、このマーク７，８の位置に碍子等の電線係止具が取り付けられ、この電線係止具に裸電線が係止されるので、裸電線の地表面からの高さを一定にすることができる。
【００２８】
さらに、足踏部３の底面と支柱本体２との間に設けたリブは、地中では支柱の回転を制止する作用を発揮し、これによって、立設後に支柱が回転することが防止される。また、裸電線の張設時あるいは張設後に支柱１が回転して裸電線が弛むこともない。なお、碍子等の電線係止具は、支柱本体２のマーク７，８の位置に予め取り付けておく方が作業効率等の面から好ましい。
【００２９】
以上の実施例では、図１（ｃ）に示すように支柱本体の両側方向に突出する足踏部を設けたが、図３に示すように片側にのみ突出する足踏部を設けるようにしてもよい。また、実施例では、猪侵入防止用の直径１４ｍｍ程度、長さ１ｍ程度の支柱を使用する場合を説明したが、本発明は、例えば鹿侵入防止用の直径１４ｍｍ程度、そして長さ２ｍ程度の長尺の支柱の場合において、より効果的にその効能を発揮することができる。
【産業上の利用可能性】
【００３０】
本発明は、害獣の侵入や家畜の逃亡を防止するために設置される、あらゆる電気柵の支柱として利用可能である。
【図面の簡単な説明】
【００３１】
【図１】本発明に係る電気柵の支柱を示し、（ａ）は平面図、（ｂ）は底面図、（ｃ）正面図、（ｄ）は左側面図である。
【図２】本発明に係る電気柵の支柱の設置状況を示す斜視図である。
【図３】本発明に係る電気柵の支柱の他の実施例を示す正面図である。
【図４】従来の猪侵入防止用の電気柵を示す構成図である。
【図５】従来の電気柵の支柱の打ち込み深さを説明するための正面図である。
【図６】従来の電気柵の別の例を示す正面図である。
【図７】図６の電気柵において支柱の張力による回転を説明するための平面図である。
【図８】支柱回転後の電気柵の状況を示す正面図である。
【符号の説明】
【００３２】
１  本発明の電気柵の支柱
２  支柱本体
３  足踏部
４  リブ
５  先端キャップ
６  平キャップ
７、８  マーク
１０  電気柵
１０ａ、１０ｂ  碍子
２０、２０−１、２０−２  電気柵の支柱
３０、３０ａ、３０ｂ  裸電線
４０  上下結線
５０  衝撃電圧発生装置
５５  先端キャップの先端
６０  出力端子
７０  出力線
８０  猪
９０  地中
１００  アース棒
１１０  アース線
１２０  アース端子
【図１】
2005192501.tif 000003
【図２】
2005192501.tif 000004
【図３】
2005192501.tif 000005
【図４】
2005192501.tif 000006
【図５】
2005192501.tif 000007
【図６】
2005192501.tif 000008
【図７】
2005192501.tif 000009
【図８】
2005192501.tif 000010